(57)【要約】【課題】携帯移動端末の電子メールの受信による電池の消耗を防止する。【解決手段】携帯移動端末１０は、メール取得モード設定手段１２を有し、手動取得モード又は自動取得モードで電子メールを受信する。手動取得モードでは、電子メールのヘッダ部分のみを一旦受信し、その後ユーザが必要ならば指示を与えて本文を取得する。自動取得モードでは、電池残量がしきい値以上であれば、ヘッダ部分及び本文を同時に取得し、電池残量がしきい値未満であれば、手動取得モードに移行して、ヘッダ部分のみを先に受信する。【選択図】図２
2007221448.tif 000002
【特許請求の範囲】
【請求項１】
メールサーバから通信回線を介してメールを受信する携帯移動端末装置において、
メールの全てを受信する自動取得モード、又は、メールのヘッダ部分のみを受信すると共に外部からの入力に従ってメール本文の受信を行うか否かを判定する手動取得モードの何れかを選択するモード選択手段と、
携帯移動端末装置の電源電圧が第１のしきい値以下であるか否かを判定する電圧判定手段とを備え、
前記モード選択手段による選択が手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信することを特徴とする携帯移動端末装置。
【請求項２】
前記電圧判定手段は、前記電源電圧が更に、前記第１のしきい値よりも高い第２のしきい値以下であるか否かを判定し、前記電源電圧が前記第１のしきい値と第２のしきい値との間にあるときには、所定の送信元のメールアドレスを記憶する記憶装置を参照し、受信したメールのヘッダ部分の送信元アドレスと前記記憶装置に記憶された送信元のメールアドレスとを照合して、双方のアドレスが一致したメールの本文を受信する条件付きモードで受信する、請求項１に記載の携帯移動端末装置。
【請求項３】
メールサーバから通信回線を介してメールを受信する携帯移動端末装置のメール受信方法において、
携帯移動端末装置が、メールの全てを受信する自動取得モード、又は、メールのヘッダ部分のみを受信すると共に外部からの入力に従ってメール本文の受信を行うか否かを判定する条件付き取得モードの何れかを選択するステップと、
携帯移動端末装置が、携帯移動端末装置の電源電圧が第１のしきい値以下であるか否かを判定するステップと、
携帯移動端末装置が、前記モード選択手段による選択が手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信するステップとを有することを特徴とするメール受信方法。
【請求項４】
前記電圧判定ステップでは、前記電源電圧が更に、前記第１のしきい値よりも高い第２のしきい値以下であるか否かを判定し、前記電源電圧が前記第１のしきい値と第２のしきい値との間にあるときには、所定の送信元のメールアドレスを記憶する記憶装置を参照し、受信したメールのヘッダ部分の送信元アドレスと前記記憶装置に記憶された送信元のメールアドレスとを照合して、双方のアドレスが一致したメールの本文を受信する条件付きモードで受信するステップを更に有する、請求項３に記載のメール受信方法。
【請求項５】
メールサーバから通信回線を介してメールを受信する携帯移動端末装置に内蔵されるコンピュータのためのプログラムであって、前記コンピュータに、
メールの全てを受信する自動取得モード、又は、メールのヘッダ部分のみを受信すると共に外部からの入力に従ってメール本文の受信を行うか否かを判定する手動取得モードの何れかを選択するステップと、
携帯移動端末装置の電源電圧が第１のしきい値以下であるか否かを判定するステップと、
前記モード選択手段による選択手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信するステップとを実行させることを特徴とするプログラム。
【発明の詳細な説明】
【技術分野】
【０００１】
本発明は、携帯移動端末、メール受信方法、及び、プログラムに関し、更に詳しくは、バッテリの消耗による携帯移動端末装置のシャットダウンを回避する技術に関する。
【背景技術】
【０００２】
近年、第三世代携帯電話システムの普及により、携帯移動端末においても大容量の電子メール受信が可能となり、携帯移動端末でのメール送受信をビジネスユースとする例も増えている。しかし、大容量のメールの受信により、メール受信時の消費電流が増大している。このため、バッテリの残量が少ない携帯移動端末では、メールの受信中にその消費電流により、携帯移動端末がシャットダウンするおそれもある。
【０００３】
特許文献１は、携帯移動端末のバッテリ資源の節約などを目的として、複数の無線端末間でのデジタルデータの受け渡しに際して、バッテリの残量が一定以下の場合には、データの受信を回避するメール受信方法が記載されている。同特許文献に記載の方法では、無線端末は、データを受信するための電波強度を監視し、かつ、電源電圧が一定のしきい値を下回るかどうかを示す電源状態を監視する受信品質監視手段を備えており、受信品質監視手段により、充分な受信品質が得られないと判定された場合には、自動的に通信及びその接続を中断する旨が記載されている。
【特許文献１】特開平１１−１５４１２１号公報、段落００８１〜８４
【特許文献２】特開２００２−１９７０３３号公報
【発明の開示】
【発明が解決しようとする課題】
【０００４】
特許文献１に記載の方法によると、電池の残量が乏しいと一律にデータ受信を中断するため、受信者にとって真に必要なデータについても受信されない事態が生ずる。また、電池の残量が多い場合であっても、不要不急のデータの受信によりバッテリの残量が低下し、真に必要なデータの受信の際には電池の残量が低下し、必要なデータの受信に大きな障害となることがある。
【０００５】
不要不急のデータの受信を回避する端末装置は、特許文献２に記載されている。該特許文献の端末装置では、メールの送信元を識別する情報を予め記憶装置に記憶しておき、メールサーバから送信された電子メールの送信元の情報と記憶装置に記憶された送信元の情報とを照合し、双方の情報が一致した場合に、メールサーバからその電子メールを取得する旨が記載されている。
【０００６】
特許文献１に記載の無線端末装置に、特許文献２に記載の端末装置の構成を採用すると、例えば電池の残量が乏しい場合には、指定された送信元からのデータのみを受信する無線端末装置が考えられる。しかし、この場合には、メール本文の受信を行うか否かの判断材料が電池の残量と送信元の情報のみであり、データサイズが大きいときには、メール受信によってシャットダウンが発生することもある。このため、電池の残量が乏しいときにも真に必要なデータの受信の判断が可能で、かつ、電池の残量不足によるシャットダウンが発生しがたい移動端末装置が望まれている。
【０００７】
本発明は、上記に鑑み、取扱いが容易であると共に、電池の残量が乏しいときにも真に必要なデータの受信の判断が可能で、かつ、電池の残量不足によるシャットダウンが発生しがたい移動端末装置を提供することを目的とする。
【課題を解決するための手段】
【０００８】
上記目的を達成するため、本発明の携帯移動端末装置は、メールサーバから通信回線を介してメールを受信する携帯移動端末装置において、
メールの全てを受信する自動取得モード、又は、メールのヘッダ部分のみを受信すると共に外部からの入力に従ってメール本文の受信を行うか否かを判定する手動取得モードの何れかを選択するモード選択手段と、
携帯移動端末装置の電源電圧が第１のしきい値以下であるか否かを判定する電圧判定手段とを備え、
前記モード選択手段による選択が手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信することを特徴とする。
【０００９】
また、本発明のメール受信方法は、メールサーバから通信回線を介してメールを受信する携帯移動端末装置のメール受信方法において、
携帯移動端末装置が、メールの全てを受信する自動取得モード、又は、メールのヘッダ部分のみを受信すると共に外部からの入力に従ってメール本文の受信を行うか否かを判定する条件付き取得モードの何れかを選択するステップと、
携帯移動端末装置が、携帯移動端末装置の電源電圧が第１のしきい値以下であるか否かを判定するステップと、
携帯移動端末装置が、前記モード選択手段による選択が手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信するステップとを有することを特徴とする。
【００１０】
更に、本発明のプログラムは、メールサーバから通信回線を介してメールを受信する携帯移動端末装置に内蔵されるコンピュータのためのプログラムであって、前記コンピュータに、
メールの全てを受信する自動取得モード、又は、メールのヘッダ部分のみを受信すると共に外部からの入力に従ってメール本文の受信を行うか否かを判定する条件付き取得モードの何れかを選択するステップと、
携帯移動端末装置の電源電圧が第１のしきい値以下であるか否かを判定するステップと、
前記モード選択手段による選択手動取得モードの場合には該手動取得モードでメールを受信し、前記モード選択手段による選択が自動取得モードの場合には、前記電源電圧が所定のしきい値以上のときには前記自動取得モードでメールを受信し、前記電源電圧がしきい値未満のときには、前記自動取得モードに代えて前記手動取得モードを選択してメールを受信するステップとを実行させることを特徴とする。
【発明の効果】
【００１１】
本発明の携帯移動端末装置、メール受信方法、及び、プログラムによると、自動モードの選択中にも、電池の残量が低下すると、自動モードから自動的に手動モードに切り替わるので、メール受信によって携帯移動端末にシャットダウンが発生することが防止でき、かつ、ユーザは、送信されたメールの送信元とユーザの現在の状況とに基づいて、受信したメールの本文を取得すべきか否かが判断できる。このため、携帯移動端末装置の取扱いが複雑化することなく、不必要なメールの受信を抑制しつつ、真に必要なメールの受信が可能となる。
【００１２】
本発明の好適な実施態様では、前記電源電圧が更に、前記第１のしきい値よりも高い第２のしきい値以下であるか否かを判定し、前記電源電圧が前記第１のしきい値と第２のしきい値との間にあるときには、所定の送信元のメールアドレスを記憶する記憶装置を参照し、受信したメールのヘッダ部分の送信元アドレスと記憶装置に記憶された送信元のメールアドレスとを照合して、双方のアドレスが一致したメールの本文を受信する条件付きモードで受信することが好ましい。電池の残量がさほど乏しくはないが、それほど多くはないときに、受信したメールの送信元アドレスが、記憶装置に記憶された送信元アドレスか否かによって、必要なメールであるか否かが自動的に判定されるので、ユーザの負担が軽減する。
【発明を実施するための最良の形態】
【００１３】
図１は、本発明の第１の実施形態に係る携帯移動端末を含む移動通信システムの構成を示している。移動通信システムは、MMS Clientを構成する複数の携帯移動端末１０と、これら携帯移動端末１０と無線通信回線で接続される無線基地局４０と、無線基地局４０と通信回線で接続されるMMS Proxy-Relay２０と、MMS Server３０とから構成される。MMS Proxy-Relay ２０は、Internet １００と接続されており、Internet １００を経由して送信される電子メールのメールサーバとしての役割を果たす。
【００１４】
携帯移動端末１０は、MMS Proxy-Relay ２０から配信される、メール受信の旨を示すNotificationを受信し、これをメモリに格納する機能を有し、Notification受信後に自動取得モードでメッセージを取得するか、手動取得モードでメッセージを取得するかを設定できる機能を有している。自動取得モードでは、バッテリの残量が乏しくなった場合に、例えばしきい値以下になったときには、自動的に手動取得モードに切り替える機能を有している。他の要素については当業者によく知られており、また本発明とは直接的に関係しないので、その動作の説明は省略する。
【００１５】
図２は、図１に示した携帯移動端末１０のメール受信制御部の構成を示す。携帯移動端末１０のメール受信制御部は、受信部１１と、メール取得モード設定手段１２と、電池残量判定手段１３と、メール本文取得可否指示部１５と、信号処理部１６と、表示装置１７とを有する。
【００１６】
受信部１１は、MMS Proxy-Relay ２０から、メール受信のNotificationを受け取ると、メール取得モード設定手段１２の設定、及び、電池残量判定手段１３の判定結果に従って、手動取得モード又は自動取得モードで、送信されてきた電子メールを受信する。ここで、手動取得モードの場合には、MMS Proxy-Relay ２０から電子メールのヘッダ部分のみを一旦受信し、その後に与えられるメール本文取得可否指示部１５からの取得可否の指示に従って、メール本文を受信し或いはメール本文の受信を行わない。メール本文取得可否指示部１５には、メールのヘッダ部分の表示を見て送信元のアドレスを判断したユーザからの指令が入力される。自動取得モードの場合には、電池の残量がしきい値以上であれば、電子メールのヘッダ部分及び本文の双方を自動的に受け取る。
【００１７】
信号処理部１６は、受信部１１が受信した電子メールを所定のフォーマットに従って、表示装置１７の画面上に表示する。メール取得モード設定手段１２は、ユーザによって自動取得モード又は手動取得モードの何れかが選択される選択手段であって、その選択結果を、電池残量判定手段１３を経由して受信部１１に与える。電池残量判定手段１３は、例えば電池の端子電圧（電源電圧）を測定する電圧測定手段と、電圧測定手段の測定値と所定のしきい値とを比較する比較手段とを有し、電源電圧の測定値がしきい値よりも低いときには、メール取得モード設定手段１２の設定が自動取得モードであるか手動取得モードであるかに拘わらず、手動取得モードの設定信号を受信部１１に与える。
【００１８】
図３は、上記携帯移動端末１０を制御するＣＰＵのプログラムによる処理を示すフローチャートである。携帯動端末１０は、メールを受信できる状態において、バッテリ残容量を監視し、バッテリ残量が所定のしきい値未満であるか否かを判定する（ステップＡ１０１）。電池残量が所定のしきい値以上の場合には、そのまま何もせずにステップＡ１０１を繰り返す。ステップＡ１０１で電池残量がしきい値未満であると判定された場合には、ステップＡ１０２に進み、メール取得モード設定手段１２の設定が、自動受信モードであるか手動取得モードであるかを判定する。手動取得モードが設定されていれば、何もせずにステップＡ１０１に戻る。ステップＡ１０２で、自動取得モードであると判定されると、ステップＡ１０３に進み、メール取得モードを手動取得モードに修正して処理を終了する。
【００１９】
本実施形態例では、ユーザが携帯移動端末上で自動取得モードを選択しても、電池の残量がしきい値未満であれば、自動的に手動取得モードに切り替えるので、ユーザの負担を必要とすることなく、電子メールの受信によって携帯移動端末がシャットダウンする事態が避けられる。
【００２０】
図４は、本発明の第２の実施形態に係る携帯移動端末１０Ａの構成を示すブロック図である。携帯移動端末１０Ａは、受信部１１と、メール取得モード設定手段１２と、電池残量判定手段１３と、メール本文取得判定手段１４と、メール本文取得可否指示部１５と、信号処理部１６と、表示装置１７と、記憶部１８と、比較部１９とを有する。
【００２１】
受信部１１は、メール受信のNotificationを受け取ると、メール本文取得判定手段１４の判定結果に従って、電子メールのヘッダ部分のみ、又は、ヘッダ部分及び本文の双方を受け取る。信号処理部１６は、受信部１１が受信した電子メールを所定のフォーマットに従って、表示装置１７の画面上に表示する。メール取得モード設定手段１２は、ユーザによって自動取得モード又は手動取得モードの何れかが選択される選択手段であって、その選択結果をメール本文取得判定手段１４に与える。電池残量判定手段１３は、電源電圧を測定する電圧測定手段と、電源電圧の測定値と第１及び第２のしきい値とを比較する比較手段とを有し、電圧測定値が第１のしきい値よりも低いときには、“電池残量低”のアラーム信号をメール本文取得判定手段１４に与える。また、電圧測定値が第１のしきい値と第２のしきい値との間にあるときには、その旨の信号をメール本文取得判定手段１４に与える。
【００２２】
メール本文取得可否指示部１５は、手動取得モードの際に、受信したメールのヘッダ部分で送信元のアドレスを確認したユーザが、メール本文を取得するか否かを指示するボタンである。記憶部１８は、ユーザがメールを受信したい送信元のアドレスを記憶する。比較部１９は、信号処理部が処理したメールのヘッダ部分の送信元アドレスと記憶部１８に記憶された送信元のアドレスとを比較し、比較結果が一致した際には、一致信号をメール本文取得判定手段１４に与える。
【００２３】
メール本文取得判定手段１４は、メール取得モード設定手段１２の選択が手動取得モードであれば、そのまま手動取得モードを出力し、メール受信のNotificationを受け取った際に、まずメールのヘッダ部分のみを受信するように受信部１１に指示する。次いで、ユーザがメール本文取得可否判指示部１５によってメール本文を取得するように、または、取得しないように指示すると、受信部１１にその旨を指示する。
【００２４】
メール本文取得判定手段１４は、メール取得モード設定手段１２の選択が自動モードの場合には、電池残量判定手段１３の判定結果に従って、受信部１１によるメール受信を制御する。電池残量が第１のしきい値未満では、メール取得モード設定手段１２による自動取得モードを手動取得モードに変更して受信部１１に与える。電池残量が第１のしきい値と第２のしきい値との間にあるときには、メール取得モード設定手段１２による自動取得モードを条件付き取得モードに変更する。この場合には、まず、受信部にヘッダ部分のみを受信させ、そのヘッダ部分の送信元メールアドレスと、記憶部１８に記憶された送信元メールアドレスとを比較する比較部１９の比較結果を待つ。比較部１９が送信元のアドレス一致信号を発生すると、メール本文取得判定手段１４は、受信部１１にメール本文を取得するように指示する。電池残量が第２のしきい値以上であるときには、メール取得モード設定手段１２の出力をそのまま受信部１１に与える。
【００２５】
本実施形態例では、電池残量が乏しいとき、電池残量がさほど多くないとき、及び、電池残量が多いときの３つの場合に分けて、受信部１１を制御することにより、メールのヘッダ部分で送信元のアドレスを確認しかつそのときの状況を判断したユーザによる指示でメール本文を取得する場合と、送信元のアドレスによって自動的にメール本文を取得する場合と、受信したメールは全てその本文を取得する場合とを選択可能である。従って、きめ細かな制御が可能となる。なお、条件付き取得モードでは、上記送信元のアドレスに加えて、或いは、これに代えて、電子メールのデータサイズを示すデータをヘッダ部分と共に受信し、そのデータサイズに基づいて、ユーザ又はメール本文取得手段１４が、メール本文を取得するか否かを判断してもよい。
【００２６】
本発明の携帯移動端末装置としては、携帯電話機、ＰＨＳ（Personal Handyphone System）、ＰＤＡ（Personal Data Assistance）等が挙げられる。
【００２７】
以上、本発明をその好適な実施態様に基づいて説明したが、本発明は、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【図面の簡単な説明】
【００２８】
【図１】本発明の第１の実施形態に係る携帯移動端末を含む移動通信システムの構成を示すブロック図。
【図２】図１の携帯移動端末機におけるメール受信制御部のブロック図。
【図３】図２の携帯移動端末機における処理を示すフローチャート。
【図４】本発明の第２の実施形態に係る携帯移動端末におけるメール受信制御部のブロック図。
【符号の説明】
【００２９】
１０、１０Ａ：携帯移動端末
１１：受信部
１２：メール取得モード設定手段
１３：電池残量判定手段
１４：メール本文取得判定手段
１５：メール本文取得可否指示部
１６：信号処理部
１７：表示装置
１８：記憶部
１９：比較部
【図１】
2007221448.tif 000003
【図２】
2007221448.tif 000004
【図３】
2007221448.tif 000005
【図４】
2007221448.tif 000006